(57)【要約】【課題】より長期間使用可能であって、記録安定性も達成可能な工事用表示板を提供する。【解決手段】本表示板１は、少なくとも一方の面において樹脂面２１が形成された基板２と、一方の面が基板の樹脂面２１に吸着される吸着面３１であり、他方の面３２が情報を表示するための表示面である表示シート３と、基板２及び表示シート３を保持するフレーム４と、を備えている。この場合において、フレームは、基板及び前記表示シートをスライド及び挿入させる溝が形成されていることが好ましい。【選択図】  図１
2017129758.tif 000002
【特許請求の範囲】
【請求項１】
少なくとも一方の面において樹脂面が形成された基板と、
一方の面が前記基板の前記樹脂面に吸着される吸着面であり、他方の面が情報を表示するための表示面である表示シートと、
前記基板及び表示シートを保持するフレームと、を備える工事用表示板。
【請求項２】
前記フレームは、
前記基板及び前記表示シートをスライド及び挿入させる溝が形成されている請求項１記載の工事用表示板。
【請求項３】
前記表示シートが前記基板に吸着された場合における端部が、前記フレームによって覆われている請求項１に記載の工事用表示板。
【請求項４】
前記表示シートは可撓性を備えたものであって、前記基板に対し複数回着脱可能である請求項１記載の工事用表示板。
【請求項５】
前記吸着面は樹脂を含んで構成されており、前記基板における前記樹脂面の樹脂と同一材料を含んで構成されている請求項１記載の工事用表示板。
【請求項６】
前記基板は、木板と、前記木板上に形成される前記樹脂面とを備えた請求項１記載の工事用表示板。
【発明の詳細な説明】
【技術分野】
【０００１】
本発明は、工事用表示板関する。
【背景技術】
【０００２】
工事用表示板は、工事の現場において、工事名、工種、撮影年月日等を記載し、工事の前後において撮影、記録するために用いられる板であり、工事を行う者は必ず作成しなければならない。
【０００３】
そして一般の工事用表示板は、木製の板材の上に、緑色の黒板用塗料を塗布したものが一般的であり、この黒板用塗料の上に白色の塗料等で枠を形成し、その中に必要事項をチョークなどで記入するものである。
【０００４】
上記工事用表示板としては、例えば下記非特許文献１等において開示されている。
【先行技術文献】
【非特許文献】
【０００５】
【非特許文献１】ｈｔｔｐ：／／ｅｃ．ｍｉｄｏｒｉ-ａｎｚｅｎ．ｃｏｍ／ｓｈｏｐ／ｇ／ｇ４０６８３７３４２０／
【発明の概要】
【発明が解決しようとする課題】
【０００６】
ところで、上記のように工事用表示板は、持ち運び及び保管の際に外気に直接晒されるものであって、表面は傷つきやすく、すぐ交換しなければならなくなるといった課題がある。また表面はチョークで記載することができるものとなっているため、持ち運び及び保管の際すぐ消えてしまい、記録用の手段としての課題も残す。
【０００７】
そこで、本発明は、上記課題に鑑み、より長期間使用可能であって、記録安定性も達成可能な工事用表示板を提供することを目的とする。
【課題を解決するための手段】
【０００８】
すなわち、上記課題を解決する本発明の一観点にかかる工事用表示板は、少なくとも一方の面において樹脂面が形成された基板と、一方の面が基板の樹脂面に吸着される吸着面であり、他方の面が情報を表示するための表示面である表示シートと、基板及び表示シートを保持するフレームと、を備えることを特徴とする。
【０００９】
また、本観点において、フレームは、基板及び前記表示シートをスライド及び挿入させる溝が形成されていることが好ましい。
【００１０】
また、本観点において、表示シートが基板に吸着された場合における端部が、フレームによって覆われていることが好ましい。
【００１１】
また、本観点において、表示シートは可撓性を備えたものであって、基板に対し複数回着脱可能であることが好ましい。
【００１２】
また、本観点において、吸着面は樹脂を含んで構成されており、基板における樹脂面の樹脂と同一材料を含んで構成されていることが好ましい。
【００１３】
また、本観点において、基板は、木板と、木板上に形成される樹脂面とを備えていることが好ましい。
【発明の効果】
【００１４】
以上本発明によって、より長期間使用可能であって、記録安定性も達成可能な工事用表示板を提供することができる。
【図面の簡単な説明】
【００１５】
【図１】実施形態に係る工事用表示板の概略を示す図である。
【図２】実施形態に係る工事用表示板の基板及び表示シートの概略を示す図である。
【図３】実施形態に係る工事用表示板の表示面の一例を示す図である。
【図４】実施形態に係る工事用表示板のフレームの概略を示す図である。
【図５】実施形態に係る工事用表示板のフレームの概略を示す図である。
【図６】実施形態に係る工事用表示板のフレームの他の一例の概略を示す図である。
【発明を実施するための最良の形態】
【００１６】
以下、本発明の実施形態について図面を用いて詳細に説明する。ただし、本発明は多くの異なる形態による実施が可能であり、以下に示す実施形態の例示にのみ限定されるものではない。
【００１７】
図１は、本実施形態にかかる工事用表示板（以下「本表示板」という。）１の概略を示す図であり、図２は、基板２及び表示シート３の概略図である。本図で示すように、本表示板１は、少なくとも一方の面において樹脂面２１が形成された基板２と、一方の面が基板の樹脂面２１に吸着される吸着面３１であり、他方の面３２が情報を表示するための表示面である表示シート３と、基板２及び表示シート３を保持するフレーム４と、を備えている。
【００１８】
本表示板１において、基板２は、本表示板の主要な骨格を構成する板であって、上記のとおり、少なくとも一方の面において樹脂面２１が形成されている。
【００１９】
本表示板１における基板２は、少なくとも一方の面において樹脂面２１が形成されたものであれば、この面を構成する樹脂によって一体に形成されていてもよいが、ベニヤ等の木材、スチール等の金属製、又は、ポリスチレン等の樹脂からなる基材２２と、この基材上に形成される樹脂面２１を備えている構成とすることが価格及び耐久性の観点から好ましい。
【００２０】
また、樹脂面２１の材質としては、特に制限されるわけではないが、表示シートと同じ材質を含むものであることが好ましい。この材質としては例えばポリプロピレンであることは好ましい。
【００２１】
なお表示板１における基板２の大きさとしては工事現場とともに撮影し記載された文字等を読み込むことができる程度の大きさであればよく、特に限定されず、縦と横の比も適宜調整可能であるが、例えば縦横ともに３０ｃｍ以上１００ｃｍ以下であることが持ち運びの観点から好ましい。
【００２２】
また、本表示板１において、表示シート３は、上記のとおり、一方の面が基板２の樹脂面２１に吸着される吸着面３１であり、他方の面が情報を表示するための表示面３２を備えている。このようにすることで、基板２に対し工事の度に着脱可能となり、表面が工事中外気に晒されているとしても、工事の度に新しい表示シート３を準備することで常に新しい状態を維持することができる。
【００２３】
また本表示板１における表示シート３の吸着面３１は、上記のとおり基板２の樹脂面２１に吸着される部材を備えている。樹脂面に吸着させることで、安定的に表面シートを保持することができる。
【００２４】
吸着面の材質としては、特に限定されるわけではないが、例えば上記基板２の樹脂面２１と同じ材質であることが吸着の観点から好ましく、例えばポリプロピレンを含むことは好ましい。
【００２５】
また本表示板１における表示シート３の表示面３２は、工事に関する情報を記載する面であって、材質としてはこの機能を有する限りにおいて限定されるわけではないが、例えば黒板用塗料からなる面と、この塗料面に配置される表示用塗料とを備えていることが好ましい。この場合のイメージを図３に示しておく。
【００２６】
また、本表示板１において、表示シート３は、薄く、可撓性を備えたものであって、基板２に対し複数回着脱可能であることが好ましい。具体的には、表示シート３を薄い樹脂シートとし、この樹脂シート上に別途表示面を形成し、この表示面に例えばインクジェット等を用いて表示板全体を印字するようにしてもよい。このようにすることで、チョーク等の消えやすい材料で記載した場合に比べ、工事中外気に晒されたとしても消える恐れが少なく、また表示も非常に読みやすくなるといった利点がある。
【００２７】
また、本表示板１において、フレーム４は、上記基板２と上記表示シート３を保持するための部材であって、このフレーム４により工事期間中ずれることなく安定的に保持される。
【００２８】
また、本表示板１におけるフレーム４は、分離可能であって、基板２及び表示シート３をスライド及び挿入させる溝４１が形成されていることが好ましい。図４に、フレーム４に基板２及び表示シート３をスライドさせる場合のイメージを示しておく。本図で示すように、この表示板１の使用者は、使用前にフレーム４を分離し、溝４１に上記基板２及び表示シート３を挿入し、再び一体化させて表示板１として完成させる。この分離及び一体化は、例えばネジ等を用いて実現できる。
【００２９】
本表示板１におけるフレーム４の材質は、特に限定されるわけではないが、例えばスチール等の金属、ポリプロピレン等の樹脂、ベニヤ等の木材等であることは好ましい。
【００３０】
また、本表示板１において、表示シート３が基板２に吸着された場合における端部が、フレーム４によって覆われていることが好ましい。これは、二つの部材を吸着させた場合、この吸着の界面に他の物質、例えば水が浸入した場合、この吸着力を弱め、風雨に晒された場合、これらをはがしてしまうといったことが起こるため、フレームに端部を覆わせることによって、外気すなわち風雨に晒されたとしてもその界面から剥がれてしまうことを防止することができる。
【００３１】
また、本表示板１において、フレーム４には、中間支持部材４２、この中間支持部材４２に備えられた収納可能な支柱部材４３と、を備えていることが好ましい。このようにすることで、工事板を自立させる一方、使用しないときは支柱部材を収納しコンパクトに保管することが可能となる。この場合のイメージを例えば図５に示しておく。なお、支柱部材４３は、限定されるわけではないが、図６で示すようにフレーム４の本体に直接接続されていてもよい。
【００３２】
また、本表示板１では、中間支持部材と外側のフレームの領域にポケットを形成するための布部材を配置していてもよい。このようにすることで、ペン等を収納することが可能であり、利便性がより高まる。
【００３３】
以上、本表示板１は、長期間使用可能であって、記録安定性も達成可能な工事用表示板となっている。
【産業上の利用可能性】
【００３４】
本発明は、工事用表示板として産業上利用可能性がある。
【符号の説明】
【００３５】
１…工事用表示板
２…基板
３…表示シート
４…フレーム
【図１】
2017129758.tif 000003
【図２】
2017129758.tif 000004
【図３】
2017129758.tif 000005
【図４】
2017129758.tif 000006
【図５】
2017129758.tif 000007
【図６】
2017129758.tif 000008